(57)【特許請求の範囲】
【請求項１】
複数の入力ソースのいずれか一つから入力された入力信号をΔΣ変調して１ビット信号を発生するΔΣ変調１ビット信号発生回路と、このΔΣ変調１ビット信号発生回路が発生した１ビット信号を増幅する増幅回路と、この増幅回路が増幅した１ビット信号をＤ／Ａ変換によってアナログ信号に変換するＤ／Ａ変換回路と、を備えた１ビット信号増幅器の制御方法であって、
上記入力信号の入力ソースに応じて、上記ΔΣ変調１ビット信号発生回路のΔΣ変調次数を設定することを特徴とする１ビット信号増幅器の制御方法。
【請求項２】
上記入力ソースがラジオ放送であるとき、当該ラジオ放送の受信帯域に応じて、上記ΔΣ変調次数を設定することを特徴とする請求項１に記載の１ビット信号増幅器の制御方法。
【請求項３】
上記入力ソースがラジオ放送であるとき、当該ラジオ放送の受信帯域に応じて、上記ΔΣ変調１ビット信号発生回路のサンプリング周波数を設定することを特徴とする請求項１または２に記載の１ビット信号増幅器の制御方法。
【請求項４】
少なくともΔΣ変調次数が可変であって、複数の入力ソースのいずれか一つから入力された入力信号をΔΣ変調して１ビット信号を発生するΔΣ変調１ビット信号発生手段と、
上記ΔΣ変調１ビット信号発生手段が発生した１ビット信号を増幅する増幅手段と、
上記増幅手段が増幅した１ビット信号をＤ／Ａ変換によってアナログ信号に変換するＤ／Ａ変換手段と、
上記入力信号の入力ソースに応じて、上記ΔΣ変調次数を設定する設定手段と、を備えることを特徴とする１ビット信号増幅器。
【請求項５】
上記入力ソースがラジオ放送を含み、
上記設定手段は、入力ソースがラジオ放送であるとき、当該ラジオ放送の受信帯域に応じて、上記ΔΣ変調次数を設定するものであることを特徴とする請求項４に記載の１ビット信号増幅器。
【請求項６】
上記入力ソースがラジオ放送を含み、
上記設定手段は、入力ソースがラジオ放送であるとき、当該ラジオ放送の受信帯域に応じて、上記ΔΣ変調１ビット信号発生回路のサンプリング周波数を設定するものであることを特徴とする請求項４または５に記載の１ビット信号増幅器。
【請求項７】
請求項４から６のいずれか１項に記載の１ビット信号増幅器を搭載したことを特徴とするオーディオ機器。
【発明の詳細な説明】
【０００１】
【発明の属する技術分野】
本発明は、ラジオやＣＤ／ＭＤなどのオーディオソースを増幅する１ビット信号増幅器およびその制御方法、ならびにそれを搭載したオーディオ機器に関するものである。
【０００２】
【従来の技術】
従来、ラジオやＣＤ／ＭＤなどの複数のオーディオソースを備えたオーディオ機器が利用されている。そして、それらオーディオ機器には、オーディオ信号の増幅にいわゆる１ビット信号増幅器を利用するものがある。
【０００３】
図４は、従来の１ビット信号増幅器１０４を搭載したオーディオ機器１００の構成の概略を示すブロック図である。
【０００４】
上記オーディオ機器１００は、入力部１０１より入力された各入力ソース（ＡＭラジオ、ＳＷラジオ、ＦＭラジオ、ＣＤ、ＭＤ等）から、増幅するオーディオ信号をコントロールマイコン１０５の制御に従ってソース切換器１０２により選択する。次に、ボリュームコントローラ１０３で、アナログ出力の音量を調整する。次に、１ビット信号増幅器１０４において、ΔΣ変調１ビット信号発生回路１１１でサンプリング発振子１１４のサンプリング信号によりオーディオ信号（アナログ信号）を１ビット信号に変換し、これを増幅回路１１２で増幅した後、Ｄ／Ａ変換器１１３で平滑化してアナログ信号に変換する。
【０００５】
ここで、１ビット信号増幅器１０４では、可聴帯域内ノイズを下げて、可聴帯域内のＳ／Ｎを良くするために、ΔΣ変調方式を用いている。すなわち、ΔΣ変調１ビット信号発生回路１１１において、１ビット信号生成時のノイズシェーピング作用により、ノイズフロアの可聴帯域ノイズを高域側に移動させることによって、可聴帯域のノイズを下げている。さらに、ΔΣ変調次数を上げることにより、可聴帯域ノイズの低減効果を増大させることができる。
【０００６】
また、最近ハイファイオーディオとしての高音質化を行うために、可聴帯域のノイズフロアを低くし、再生帯域を〜１００ＫＨｚの広域にすることが望まれている。そのため、ノイズフロアのピークを高域側に移動させて、ノイズ低減効果帯域を広げるために、ΔΣ変調のサンプリング周波数を上げることが求められている。
【０００７】
【発明が解決しようとする課題】
しかしながら、ΔΣ変調回路では、可聴帯域のノイズを下げるために、ΔΣ変調次数を上げて、ノイズフロアの可聴帯域ノイズを高域側に移動させると、高域帯域（５００ｋＨｚ〜数ＭＨｚ）ノイズが増大する。また、ノイズ低減効果帯域を広げために、ΔΣ変調のサンプリング周波数を上げると、ノイズフロアのピークが高域側に移動する。
【０００８】
このことは、ＡＭ／ＳＷラジオを入力ソースとして搭載したオーディオ機器において問題となる。すなわち、ＡＭラジオ放送の搬送波は５３５〜１６０５ｋＨｚであり、ＳＷラジオ放送の搬送波は３〜３０ＭＨｚである。そして、ＡＭ／ＳＷラジオ放送は、振幅変調方式であるため、振幅が信号波に対応しており、受信後にノイズを省くことが難しい。よって、ノイズフロアのピークを高域側に移動させた場合、ΔΣ変調回路が発する高域ノイズの帯域がＡＭ／ＳＷラジオの受信周波数帯域と一致するため、ＡＭ／ＳＷラジオ受信に妨害ノイズとなって音質が低下する。
【０００９】
図３に示すように、ΔΣ変調回路のノイズシェーピング特性により、低次（３次）のΔΣ変調の場合でも、可聴帯域（一般的には〜２０ＫＨｚ）におけるノイズレベルは低いが、ラジオ受信周波数帯域（５００ＫＨｚ〜数ＭＨｚ）におけるノイズレベルは急増する。そして、ハイファイオーディオとして可聴帯域ノイズを下げるために、ΔΣ変調次数を上げると（高次（７次））、ＡＭラジオの受信帯域のノイズがさらに増大する。
【００１０】
また、図２に示すように、ノイズ低減効果帯域を広げために、ΔΣ変調のサンプリング周波数を６４ｆｓから１２８ｆｓ（ｆｓは４４．１ｋＨ）に上げると、ノイズフロアのピーク周波数が高域に移動して、ＳＷラジオの受信帯域のノイズが増大する。
【００１１】
上記のように、従来の１ビット信号増幅器を搭載したオーディオ機器では、ΔΣ変調回路が発する高域ノイズの帯域がＡＭ／ＳＷラジオの受信帯域と一致するため、この高域ノイズがラジオ妨害ノイズとなって、ラジオ受信が困難になるという問題が生ずる。
【００１２】
本発明は、上記の問題点を解決するためになされたもので、その目的は、入力ソースのオーディオ特性に応じて、ノイズを削減することができる１ビット信号増幅器およびその制御方法、ならびにそれを搭載したオーディオ機器を提供することにある。
【００１３】
【課題を解決するための手段】
上記の課題を解決するために、本発明の１ビット信号増幅器の制御方法は、複数の入力ソースのいずれか一つから入力された入力信号をΔΣ変調して１ビット信号を発生するΔΣ変調１ビット信号発生回路と、このΔΣ変調１ビット信号発生回路が発生した１ビット信号を増幅する増幅回路と、この増幅回路が増幅した１ビット信号をＤ／Ａ変換によってアナログ信号に変換するＤ／Ａ変換回路と、を備えた１ビット信号増幅器の制御方法であって、上記入力信号の入力ソースに応じて、上記ΔΣ変調１ビット信号発生回路のΔΣ変調次数を設定することを特徴としている。
【００１４】
また、本発明の１ビット信号増幅器は、少なくともΔΣ変調次数が可変であって、複数の入力ソースのいずれか一つから入力された入力信号をΔΣ変調して１ビット信号を発生するΔΣ変調１ビット信号発生手段と、上記ΔΣ変調１ビット信号発生手段が発生した１ビット信号を増幅する増幅手段と、上記増幅手段が増幅した１ビット信号をＤ／Ａ変換によってアナログ信号に変換するＤ／Ａ変換手段と、上記入力信号の入力ソースに応じて、上記ΔΣ変調次数を設定する設定手段と、を備えることを特徴としている。
【００１５】
上記の方法および構成により、ΔΣ変調方式の１ビット信号増幅器において、ΔΣ変調回路のΔΣ変調次数を、入力ソースに応じて切り換えることができる。
【００１６】
よって、通常は高いΔΣ変調次数でΔΣ変調を行い、この設定ではΔΣ変調回路が発するノイズが入力信号に混入する場合には、低いΔΣ変調次数でΔΣ変調を行うことが可能となる。
【００１７】
したがって、例えば、ＦＭラジオ／ＭＤ／ＣＤ等の入力ソースでは、高いΔΣ変調次数による高音質化が実現できるとともに、ＡＭ／ＳＷラジオ等の入力ソースでは、低いΔΣ変調次数により、ΔΣ変調回路のノイズによるラジオ受信機への影響を極力少なくして、ノイズのないクリアーな音声出力が実現できる。
【００１８】
以上より、入力ソースに応じた最適なオーディオ特性にΔΣ変調回路を設定できるため、どのような入力ソースに対しても、ΔΣ変調方式を用いた１ビット信号増幅器により、可聴帯域内のＳ／Ｎが良好な信号増幅を行うことが可能となる。
【００１９】
さらに、本発明の１ビット信号増幅器の制御方法は、上記入力ソースがラジオ放送であるとき、当該ラジオ放送の受信帯域に応じて、上記ΔΣ変調次数を設定することを特徴としている。
【００２０】
また、本発明の１ビット信号増幅器は、上記入力ソースがラジオ放送を含み、上記設定手段は、入力ソースがラジオ放送であるとき、当該ラジオ放送の受信帯域に応じて、上記ΔΣ変調次数を設定するものであることを特徴としている。
【００２１】
上記の方法および構成により、さらに、ΔΣ変調回路が発するノイズのレベルが入力信号であるラジオの受信帯域において増大しないように、ΔΣ変調次数を設定できる。
【００２２】
よって、ΔΣ変調回路が発するノイズが入力信号に混入する入力ソース（ＡＭ／ＳＷラジオ等）の場合には、低いΔΣ変調次数でΔΣ変調して増幅し、一方、ΔΣ変調回路が発するノイズが入力信号に混入しない入力ソースの場合には、入力信号を高いΔΣ変調次数でΔΣ変調して増幅することができる。
【００２３】
したがって、例えば、ＡＭ／ＳＷラジオ等の入力ソースでは、低いΔΣ変調次数により、ΔΣ変調回路のノイズによるラジオ受信機への影響を極力少なくして、ノイズのないクリアーな音声出力が実現できるとともに、その他のＦＭラジオ／ＭＤ／ＣＤ等の入力ソースでは、高いΔΣ変調次数による高音質化が実現できる。
【００２４】
さらに、本発明の１ビット信号増幅器の制御方法は、上記入力ソースがラジオ放送であるとき、当該ラジオ放送の受信帯域に応じて、上記ΔΣ変調１ビット信号発生回路のサンプリング周波数を設定することを特徴としている。
【００２５】
また、本発明の１ビット信号増幅器は、上記入力ソースがラジオ放送を含み、上記設定手段は、入力ソースがラジオ放送であるとき、当該ラジオ放送の受信帯域に応じて、上記ΔΣ変調１ビット信号発生回路のサンプリング周波数を設定するものであることを特徴としている。
【００２６】
上記の方法および構成により、さらに、ΔΣ変調回路が発するノイズのレベルが入力信号であるラジオの受信帯域において増大しないように、サンプリング周波数を設定できる。
【００２７】
よって、ΔΣ変調回路が発するノイズが入力信号に混入する入力ソース（ＳＷラジオ等）の場合には、低いサンプリング周波数でΔΣ変調して増幅し、一方、ΔΣ変調回路が発するノイズが入力信号に混入しない入力ソースの場合には、入力信号を高いサンプリング周波数でΔΣ変調して増幅することができる。
【００２８】
したがって、例えば、ＳＷラジオ等の入力ソースでは、低いサンプリング周波数により、ΔΣ変調回路のノイズによるラジオ受信機への影響を極力少なくして、ノイズのないクリアーな音声出力が実現できるとともに、その他のＡＭ／ＦＭラジオ／ＭＤ／ＣＤ等の入力ソースでは、高いサンプリング周波数による高音質化が実現できる。
【００２９】
また、本発明のオーディオ機器は、上記の１ビット信号増幅器を搭載したことを特徴としている。
【００３０】
上記の構成により、上記オーディオ機器は、上記１ビット信号増幅器を搭載することにより、ΔΣ変調回路を入力ソースに応じた最適なオーディオ特性に設定できる。よって、上記オーディオ機器は、ラジオ（ＡＭ、ＳＷ、ＦＭ）やＣＤ／ＭＤなどの複数の入力ソースを備えるとともに、どの入力ソースに対しても、可聴帯域内のＳ／Ｎが良好な信号増幅を行うことができる。
【００３１】
【発明の実施の形態】
本発明の一実施の形態について図１から図３に基づいて説明すれば、以下のとおりである。
【００３２】
本実施の形態に係る１ビット信号増幅器１４を搭載したオーディオ機器１０は、ラジオ（ＡＭ、ＳＷ、ＦＭ）やＣＤ（compact disc）／ＭＤ（mini disc）などの複数のオーディオソースを備えたオーディオ機器であり、オーディオ信号の増幅に１ビット信号増幅器１４を利用する。
【００３３】
図１は、上記オーディオ機器１０の構成の概略を示すブロック図である。図１に示すように、オーディオ機器１０は、入力部１１、ソース切換器１２、ボリュームコントローラ１３、１ビット信号増幅器１４、コントロールマイコン１５を備えて構成されている。
【００３４】
上記入力部１１は、各ラジオ放送電波を受信する受信機であるＡＭ受信部１１ａ、ＳＷ受信部１１ｂ、ＦＭ受信部１１ｃと、各記録媒体からオーディオ信号を再生するＣＤ再生部１１ｄ、ＭＤ再生部１１ｅとを備えている。
【００３５】
上記ソース切換器１２は、スイッチ等であり、入力部１１の入力ソース（ＡＭラジオ、ＳＷラジオ、ＦＭラジオ、ＣＤ、ＭＤ等）から、増幅すべきオーディオ信号の入力ソースを、コントロールマイコン１５の制御に従って選択する。
【００３６】
上記ボリュームコントローラ１３は、オーディオ機器１０の最終的な出力であるアナログ出力の音量を調整する。
【００３７】
上記コントロールマイコン１５は、ソース切換器１２に対して選択すべき入力ソースを指定する制御信号を送信する。これと同時に、コントロールマイコン１５は、同様の制御信号すなわちソース切換器１２に指定した入力ソースを示す制御信号を、１ビット信号増幅器１４のサンプリング周波数切換器２４およびΔΣ変調次数切換器２６に対して送信する。
【００３８】
上記１ビット信号増幅器１４は、ボリュームコントローラ１３から入力されたアナログ信号をΔΣ変調１ビット信号発生回路２１で１ビット信号に変換し、これを増幅回路２２で増幅した後、Ｄ／Ａ変換器２３で平滑化してアナログ信号に変換して出力する。
【００３９】
具体的には、１ビット信号増幅器１４は、ΔΣ変調１ビット信号発生回路２１、増幅回路２２、Ｄ／Ａ変換器２３、サンプリング周波数切換器２４、サンプリング発振子２５ａ，２５ｂ、ΔΣ変調次数切換器２６、次数設定信号発生器２７ａ，２７ｂを備えて構成されている。
【００４０】
上記ΔΣ変調１ビット信号発生回路２１は、ボリュームコントローラ１３から入力されたアナログ信号（入力信号）をΔΣ変調して１ビット信号に変換する。ここで、ΔΣ変調１ビット信号発生回路２１は、ΔΣ変調のサンプリング周波数およびΔΣ変調次数が可変である。そして、ΔΣ変調１ビット信号発生回路２１は、コントロールマイコン１５からの制御信号に基づき、入力信号であるアナログ信号の入力ソース（入力部１１）に応じて、サンプリング周波数およびΔΣ変調次数を設定することができる。
【００４１】
以下、ΔΣ変調１ビット信号発生回路２１のサンプリング周波数およびΔΣ変調次数の設定について説明する。
【００４２】
（１）サンプリング周波数
上記１ビット信号増幅器１４には、サンプリング信号の発振子として発振周波数の異なる２つのサンプリング発振子２５ａ，２５ｂが設けられている。サンプリング発振子２５ａは、高い発振周波数のサンプリング信号を出力する発振子であり、発振周波数が１２８ｆｓ（ｆｓは４４．１ｋＨ）に設定されている。また、サンプリング発振子２５ｂは、低い発振周波数のサンプリング信号を出力する発振子であり、発振周波数が６４ｆｓに設定されている。
【００４３】
そして、サンプリング発振子２５ａ，２５ｂのいずれのサンプリング信号をΔΣ変調１ビット信号発生回路２１に供給するかは、コントロールマイコン１５からの制御信号に基づいて、サンプリング周波数切換器２４が選択する。具体的には、サンプリング周波数切換器２４は、入力ソースがＳＷラジオ放送（ＳＷ受信部１１ｂ）である時には、低いサンプリング周波数であるサンプリング発振子２５ｂを選択する。一方、入力ソースがＡＭ／ＦＭラジオ放送／ＣＤ／ＭＤ（ＡＭ受信部１１ａ，ＦＭ受信部１１ｃ，ＣＤ再生１１ｄ，ＭＤ再生１１ｅ）である時には、高いサンプリング周波数であるサンプリング発振子２５ａを選択する。
【００４４】
図２は、ΔΣ変調回路のノイズシェーピング特性をサンプリング周波数別に示したグラフである。
【００４５】
図２に示すように、ノイズ低減効果帯域を広げために、ΔΣ変調のサンプリング周波数を６４ｆｓから１２８ｆｓ（ｆｓは４４．１ｋＨ）に上げると、ノイズフロアのピーク周波数が高域側に移動する。その結果、ＡＭラジオの受信帯域（５３５〜１６０５ｋＨ）のノイズは低減するが、ＳＷラジオ（３〜３０ＭＨｚ）の受信帯域のノイズは増大する。すなわち、ＳＷラジオ受信時にサンプリング周波数を１２８ｆｓにしてΔΣ変調を行うと、ΔΣ変調回路が発するノイズが高いレベルで入力信号に混入することになる。なお、ＦＭラジオは、ＡＭ／ＳＷラジオとは変調方式が異なる上、受信帯域（７６〜９０ＭＨｚ）が外れるため、ΔΣ変調回路が発するノイズが混入するおそれはない。また、ＣＤ／ＭＤは、記録媒体からオーディオ信号を再生するため、ΔΣ変調回路が発するノイズが混入するおそれはない。
【００４６】
そこで、１ビット信号増幅器１４では、ＳＷラジオ受信時に、ΔΣ変調回路であるΔΣ変調１ビット信号発生回路２１が発するノイズの高域側ピークがＳＷラジオ放送の受信帯域と一致しないように、低いサンプリング周波数を設定する。これに対して、ＡＭ／ＦＭラジオ受信時あるいはＣＤ／ＭＤ再生時には、高いサンプリング周波数を設定する。
【００４７】
このように、ΔΣ変調１ビット信号発生回路２１、サンプリング発振子２５ａ、サンプリング周波数切換器２４は、ΔΣ変調１ビット信号発生回路２１の発するノイズが入力信号に混入するおそれのない場合において、可聴帯域の低ノイズレベルを満足し、かつ、再生帯域〜１００ＫＨｚの広帯域を確保するために、高いサンプリング周波数のΔΣ変調回路を実現するように設定されている。これにより、ＡＭ／ＦＭラジオ／ＭＤ／ＣＤなどでは、ハイファイオーディオとしての高音質化が実現できる。
【００４８】
また、ΔΣ変調１ビット信号発生回路２１、サンプリング発振子２５ｂ、サンプリング周波数切換器２４は、ΔΣ変調１ビット信号発生回路２１の発するノイズが入力信号に混入するおそれのある場合において、ΔΣ変調１ビット信号発生回路２１が発する高域ノイズの帯域が入力信号の帯域（例えばＳＷラジオの受信帯域）と一致しないようにするために、低いΔΣ変調次数のΔΣ変調回路を実現するように設定されている。これにより、ＳＷラジオなどでは、受信機（ＳＷ受信部１１ｂ）への影響を極力少なくして、ノイズのないクリアーな音声出力が実現できる。
【００４９】
（２）ΔΣ変調次数
上記ΔΣ変調１ビット信号発生回路２１は、ΔΣ変調次数切換器２６から入力される次数設定信号に従って、７次あるいは３次のΔΣ変調回路として機能するように、ΔΣ変調次数が切換可能に構成されている。ΔΣ変調１ビット信号発生回路２１は、例えば、７次のΔΣ変調回路を備え、次数設定信号で３次が指定された場合には、一部のΔΣ変調を省略するように構成されていてもよいし、７次および３次のΔΣ変調回路を並列に設けて、次数設定信号によりスイッチでいずれかのΔΣ変調回路を選択するように構成されていてもよい。
【００５０】
そして、ΔΣ変調１ビット信号発生回路２１のΔΣ変調次数は、コントロールマイコン１５からの制御信号に基づいて、ΔΣ変調次数切換器２６が選択する。具体的には、ΔΣ変調次数切換器２６は、コントロールマイコン１５からの制御信号に基づいて、２つの次数設定信号発生器２７ａ，２７ｂから入力される次数設定信号のいずれか一方を選択してΔΣ変調１ビット信号発生回路２１に供給する。ここで、次数設定信号発生器２７ａは、高いΔΣ変調次数（７次）を指定する次数設定信号を出力する。また、次数設定信号発生器２７ｂは、低いΔΣ変調次数（３次）を指定する次数設定信号を出力する。そして、ΔΣ変調次数切換器２６は、入力ソースがＡＭ／ＳＷラジオ放送（ＡＭ受信部１１ａ，ＳＷ受信部１１ｂ）である時には、低いΔΣ変調次数を指定するように、次数設定信号発生器２７ｂからの次数設定信号を選択する。一方、入力ソースがＦＭラジオ放送／ＣＤ／ＭＤ（ＦＭ受信部１１ｃ，ＣＤ再生１１ｄ，ＭＤ再生１１ｅ）である時には、高いΔΣ変調次数を指定するように、次数設定信号発生器２７ａからの次数設定信号を選択する。
【００５１】
図３は、ΔΣ変調回路のノイズシェーピング特性をΔΣ変調次数別に示したグラフである。
【００５２】
図３に示すように、ΔΣ変調回路のノイズシェーピング特性により、低次（３次）のΔΣ変調の場合でも、可聴帯域（一般的には〜２０ＫＨｚ）におけるノイズレベルは低いが、ラジオ受信周波数帯域（５００ＫＨｚ〜数ＭＨｚ）におけるノイズレベルは急増する。そして、ハイファイオーディオとして可聴帯域ノイズを下げるために、ΔΣ変調次数を上げると（高次（７次））、ＡＭラジオの受信帯域より高域（ＡＭ／ＳＷラジオの受信帯域を含む）のノイズがさらに増大する。
【００５３】
そこで、１ビット信号増幅器１４では、ＡＭ／ＳＷラジオ受信時に、ΔΣ変調回路であるΔΣ変調１ビット信号発生回路２１が発するノイズをＡＭ／ＳＷラジオ放送の受信帯域において増大させないように、低いΔΣ変調次数を設定する。これに対して、ＦＭラジオ受信時あるいはＣＤ／ＭＤ再生時には、高いΔΣ変調次数を設定する。
【００５４】
このように、ΔΣ変調１ビット信号発生回路２１、次数設定信号発生器２７ａ、ΔΣ変調次数切換器２６は、ΔΣ変調１ビット信号発生回路２１の発するノイズが入力信号に混入するおそれのない場合において、可聴帯域の低ノイズレベルを満足し、かつ、再生帯域〜１００ＫＨｚの広帯域を確保するために、高いΔΣ変調次数のΔΣ変調回路を実現するように設定されている。これにより、ＦＭラジオ／ＭＤ／ＣＤなどでは、ハイファイオーディオとしての高音質化が実現できる。
【００５５】
また、ΔΣ変調１ビット信号発生回路２１、次数設定信号発生器２７ｂ、ΔΣ変調次数切換器２６は、ΔΣ変調１ビット信号発生回路２１の発するノイズが入力信号に混入するおそれのある場合において、ΔΣ変調１ビット信号発生回路２１が発する高域ノイズのレベルが入力信号の帯域（例えばＡＭ／ＳＷラジオの受信帯域）において増大しないようにするために、低いΔΣ変調次数のΔΣ変調回路を実現するように設定されている。これにより、ＡＭ／ＳＷラジオなどでは、ノイズのないクリアーな音声出力が実現できる。
【００５６】
以上の構成により、上記オーディオ機器１０は、入力部１１より入力された各入力ソース（ＡＭラジオ、ＳＷラジオ、ＦＭラジオ、ＣＤ、ＭＤ等）から、増幅するオーディオ信号をコントロールマイコン１５の制御に従ってソース切換器１２が選択する。次に、ボリュームコントローラ１３で、アナログ出力の音量を調整する。次に、１ビット信号増幅器１４において、ΔΣ変調１ビット信号発生回路２１でオーディオ信号（アナログ信号）を１ビット信号に変換し、これを増幅回路２２で増幅した後、Ｄ／Ａ変換器２３で平滑化してアナログ信号に変換する。
【００５７】
特に、上記オーディオ機器１０は、１ビット信号増幅器１４に、発振周波数の異なる複数のサンプリング発振子２５ａ，２５ｂとサンプリング周波数切換器２４、および異なるΔΣ変調次数を指定する複数の次数設定信号発生器２７ａ，２７ｂとΔΣ変調次数切換器２６が設けられている。
【００５８】
そして、オーディオ機器１０では、コントロールマイコン１５の制御により、入力ソースに応じて、ΔΣ変調１ビット信号発生回路２１のサンプリング周波数およびΔΣ変調次数を切り換える。この切り換えは、ＦＭラジオ受信時あるいはＣＤ／ＭＤ再生時などは、ハイファイオーディオの条件である可聴帯域の低ノイズレベルを満足し、かつ、再生帯域〜１００ＫＨｚの広帯域を確保するように、高い発信周波数および高いΔΣ変調次数を選択する。これに対して、ＡＭ／ＳＷラジオ受信時などでは、ラジオ放送電波の受信機への影響を極力少なくし明瞭なラジオ受信を可能とするように、ラジオ放送の受信帯域に応じた低い発信周波数および／あるいは低いΔΣ変調次数を選択する。
【００５９】
なお、ハイファイオーディオとしての高音質化を行うには、可聴帯域のノイズフロアを低くし、再生帯域を〜１００ＫＨｚの広域にすることが望まれるが、一般的にＡＭ／ＳＷラジオの再生帯域は〜１０ＫＨｚであるため、ＡＭ／ＳＷラジオ受信時には、他のソース（ＭＤ／ＣＤ／ＦＭラジオ受信）程の高音質化よりも、むしろ受信音声がクリアーに聞こえることの方が要求される。
【００６０】
なお、本実施の形態は本発明の範囲を限定するものではなく、本発明の範囲内で種々の変更が可能である。
【００６１】
例えば、本実施の形態では、サンプリング周波数を６４ｆｓと１２８ｆｓとの間で、また、ΔΣ変調次数を３次ΔΣ変調と７次ΔΣ変調との間で切り換える場合について説明したが、これに限定されない。すなわち、サンプリング周波数およびΔΣ変調次数の設定可能な数（３個以上でもよい）や具体的な設定値は、ΔΣ変調回路を搭載するオーディオ機器の仕様に応じて適宜選択できる。また、サンプリング周波数および／あるいはΔΣ変調次数の切り換えを、入力ソース別ではなく、入力信号に応じて行ってもよい。
【００６２】
また、本発明は次のように構成することもできる。本発明の１ビット信号増幅器の制御方法は、複数の入力ソースが設けてある１ビット信号増幅器を、各入力ソースに応じたオーディオ特性になるように、サンプリング周波数およびΔΣ変調次数を切り換える方法である。本発明のラジオ搭載１ビット信号増幅器の制御方法は、ラジオ搭載１ビット信号増幅器を、ΔΣ変調１ビット信号発生回路内のΔΣ変調次数を切り換えることによって、ラジオ受信周波数帯域へのノイズを削減する方法である。本発明のラジオ搭載１ビット信号増幅器の制御方法は、ラジオ搭載１ビット信号増幅器を、ΔΣ変調１ビット信号発生回路内に異なる発振周波数の発振子を複数設け、サンプリング周波数を切り換えることによって、ラジオ受信周波数帯域へのノイズを削減する方法である。
【００６３】
【発明の効果】
以上のように、本発明の１ビット信号増幅器の制御方法は、複数の入力ソースのいずれか一つから入力された入力信号をΔΣ変調して１ビット信号を発生するΔΣ変調１ビット信号発生回路と、このΔΣ変調１ビット信号発生回路が発生した１ビット信号を増幅する増幅回路と、この増幅回路が増幅した１ビット信号をＤ／Ａ変換によってアナログ信号に変換するＤ／Ａ変換回路と、を備えた１ビット信号増幅器の制御方法であって、上記入力信号の入力ソースに応じて、上記ΔΣ変調１ビット信号発生回路のΔΣ変調次数を設定する方法である。
【００６４】
また、本発明の１ビット信号増幅器は、少なくともΔΣ変調次数が可変であって、複数の入力ソースのいずれか一つから入力された入力信号をΔΣ変調して１ビット信号を発生するΔΣ変調１ビット信号発生手段と、上記ΔΣ変調１ビット信号発生手段が発生した１ビット信号を増幅する増幅手段と、上記増幅手段が増幅した１ビット信号をＤ／Ａ変換によってアナログ信号に変換するＤ／Ａ変換手段と、上記入力信号の入力ソースに応じて、上記ΔΣ変調次数を設定する設定手段と、を備える構成である。
【００６５】
それゆえ、通常は高いΔΣ変調次数でΔΣ変調を行い、この設定ではΔΣ変調回路が発するノイズが入力信号に混入する場合には、低いΔΣ変調次数でΔΣ変調を行うことが可能となる。
【００６６】
したがって、例えば、ＦＭラジオ／ＭＤ／ＣＤ等の入力ソースでは、高いΔΣ変調次数による高音質化が実現できるとともに、ＡＭ／ＳＷラジオ等の入力ソースでは、低いΔΣ変調次数により、ΔΣ変調回路のノイズによるラジオ受信機への影響を極力少なくして、ノイズのないクリアーな音声出力が実現できるという効果を奏する。
【００６７】
以上より、入力ソースに応じた最適なオーディオ特性にΔΣ変調回路を設定できるため、どのような入力ソースに対しても、ΔΣ変調方式を用いた１ビット信号増幅器により、可聴帯域内のＳ／Ｎが良好な信号増幅を行うことが可能となるという効果を奏する。
【００６８】
さらに、本発明の１ビット信号増幅器の制御方法は、上記入力ソースがラジオ放送であるとき、当該ラジオ放送の受信帯域に応じて、上記ΔΣ変調次数を設定する方法である。
【００６９】
また、本発明の１ビット信号増幅器は、上記入力ソースがラジオ放送を含み、上記設定手段は、入力ソースがラジオ放送であるとき、当該ラジオ放送の受信帯域に応じて、上記ΔΣ変調次数を設定する構成である。
【００７０】
それゆえ、さらに、ΔΣ変調回路が発するノイズが入力信号に混入する入力ソース（ＡＭ／ＳＷラジオ等）の場合には、低いΔΣ変調次数でΔΣ変調して増幅し、一方、ΔΣ変調回路が発するノイズが入力信号に混入しない入力ソースの場合には、入力信号を高いΔΣ変調次数でΔΣ変調して増幅することができる。
【００７１】
したがって、例えば、ＡＭ／ＳＷラジオ等の入力ソースでは、低いΔΣ変調次数により、ΔΣ変調回路のノイズによるラジオ受信機への影響を極力少なくして、ノイズのないクリアーな音声出力が実現できるとともに、その他のＦＭラジオ／ＭＤ／ＣＤ等の入力ソースでは、高いΔΣ変調次数による高音質化が実現できるという効果を奏する。
【００７２】
さらに、本発明の１ビット信号増幅器の制御方法は、上記入力ソースがラジオ放送であるとき、当該ラジオ放送の受信帯域に応じて、上記ΔΣ変調１ビット信号発生回路のサンプリング周波数を設定する方法である。
【００７３】
また、本発明の１ビット信号増幅器は、上記入力ソースがラジオ放送を含み、上記設定手段は、入力ソースがラジオ放送であるとき、当該ラジオ放送の受信帯域に応じて、上記ΔΣ変調１ビット信号発生回路のサンプリング周波数を設定する構成である。
【００７４】
それゆえ、ΔΣ変調回路が発するノイズが入力信号に混入する入力ソース（ＳＷラジオ等）の場合には、低いサンプリング周波数でΔΣ変調して増幅し、一方、ΔΣ変調回路が発するノイズが入力信号に混入しない入力ソースの場合には、入力信号を高いサンプリング周波数でΔΣ変調して増幅することができる。
【００７５】
したがって、例えば、ＳＷラジオ等の入力ソースでは、低いサンプリング周波数により、ΔΣ変調回路のノイズによるラジオ受信機への影響を極力少なくして、ノイズのないクリアーな音声出力が実現できるとともに、その他のＡＭ／ＦＭラジオ／ＭＤ／ＣＤ等の入力ソースでは、高いサンプリング周波数による高音質化が実現できるという効果を奏する。
【００７６】
また、本発明のオーディオ機器は、上記の１ビット信号増幅器を搭載した構成である。
【００７７】
それゆえ、上記オーディオ機器は、上記１ビット信号増幅器を搭載することにより、ΔΣ変調回路を入力ソースに応じた最適なオーディオ特性に設定できる。よって、上記オーディオ機器は、ラジオ（ＡＭ、ＳＷ、ＦＭ）やＣＤ／ＭＤなどの複数の入力ソースを備えるとともに、どの入力ソースに対しても、可聴帯域内のＳ／Ｎが良好な信号増幅を行うことができるという効果を奏する。
【図面の簡単な説明】
【図１】  本発明の一実施の形態に係る１ビット信号増幅器を搭載したオーディオ機器の構成の概略を示すブロック図である。
【図２】  ΔΣ変調回路のノイズシェーピング特性をサンプリング周波数別に示したグラフである。
【図３】  ΔΣ変調回路のノイズシェーピング特性をΔΣ変調次数別に示したグラフである。
【図４】  従来の１ビット信号増幅器を搭載したオーディオ機器の構成の概略を示すブロック図である。
【符号の説明】
１０    オーディオ機器
１４    １ビット信号増幅器
２１    ΔΣ変調１ビット信号発生回路（ΔΣ変調１ビット信号発生手段）
２２    増幅回路（増幅手段）
２３    Ｄ／Ａ変換回路（Ｄ／Ａ変換手段）
２４    サンプリング周波数切換器（設定手段）
２６    ΔΣ変調次数切換器（設定手段）
【図１】
0003875138.tif 000002
【図２】
0003875138.tif 000003
【図３】
0003875138.tif 000004
【図４】
0003875138.tif 000005